(57)【特許請求の範囲】
【請求項１】
直列状に配置された少なくとも３枚のメインプレートを備えており、隣合ったメインプレートを互いに重なり合う方向に相対回動し得るようにヒンジ手段にて連結して成る折り畳み式家具であって、
展開状態では、床に敷いて人が座り得る敷物としての使用と、メインプレート群が上下に並ぶ姿勢に吊るして物品を掛け得るハンガーとしての使用とのうちの一方又は両方の使用が許容されており、
更に、前記メインプレートの群を相対回動させて立体的家具と成した状態に保持する立体形状保持手段が設けられている、
という構成において、
いずれかのメインプレートに、展開した状態でメインプレート群の並び方向と交叉した方向に延びる腕体を、前記いずれかのメインプレートに重なる方向に回動させ得るように連結している、
折り畳み式多機能家具。
【請求項２】
前記腕体に、前記立体形状保持手段として、前記メインプレート群を相対回動させて立体的家具とした状態に保持する連結手段が設けられている、
請求項１に記載した折り畳み式多機能家具。
【請求項３】
直列状に配置された少なくとも３枚のメインプレートを備えており、隣合ったメインプレートを互いに重なり合う方向に相対回動し得るようにヒンジ手段にて連結して成る折り畳み式家具であって、
展開状態では、床に敷いて人が座り得る敷物としての使用と、メインプレート群が上下に並ぶ姿勢に吊るして物品を掛け得るハンガーとしての使用とのうちの一方又は両方の使用が許容されており、
更に、前記メインプレートの群を相対回動させて立体的家具と成した状態に保持する立体形状保持手段が設けられている、
という構成において、
連続して延びる３枚のメインプレートを断面略コ字状の形態と成すことにより、スツール又は小テーブルと成すことが許容されており、略コ字状と成した状態で相対向した２枚のメインプレートのうち一方のメインプレートにおける左右両側縁に、展開した状態でメインプレート群の並び方向と交叉した方向に延びる腕体を、一方のメインプレートに重なる方向に回動させ得るようにヒンジ手段を介して連結しており、
略コ字状を成した状態で相対向した２枚のメインプレートのうち他方のメインプレートには、前記一方のメインプレートに向けて回動させた腕体の先端部が嵌入する長穴を形成しており、腕体の前部が前記長穴に嵌入した状態をストッパー手段で保持することにより、前記立体的家具の形状が保持されている、
折り畳み式多機能家具。
【請求項４】
前記メインプレートの群のうち並び方向の端に位置したメインプレートに、展開した状態のメインプレート群をフック類に吊懸けできる引っ掛け手段が形成されている、
請求項１〜３のうちの何れかに記載した折り畳み式多機能家具。
【請求項５】
全体又は一部を、人と動物と乗り物とキャラクター類との中から選ばれた１つ又は複数のものに似せた形状に形成している、
請求項１〜４のうち何れかに記載した折り畳み式多機能家具。
【発明の詳細な説明】
【技術分野】
【０００１】
本願発明は、板状の材料を使用して製造される折り畳み式多機能家具に関するものである。
【背景技術】
【０００２】
板状材を使用した折り畳み式家具の一例として、特許文献１には段ボール製の携帯用座椅子が開示されている。
【０００３】
すなわちこの携帯用座椅子は、一端部（背もたれの上端部となる部分）を重ねて固着した上板と下板とを備えており、上板と下板との前後中途部に折り目線（ヒンジ部）を形成することによって座椅子の形態を構成可能とし、かつ、上板の折り目線の箇所に、当該上板を折曲げると下向きの突起となる部分を打ち抜きにて形成し、下板には、座椅子の形態に折り曲げた状態で前記下向き突起が嵌まる穴を形成したものである。
【特許文献１】実公平７−１００２号公報
【発明の開示】
【発明が解決しようとする課題】
【０００４】
ところで、従来において家具を折り畳み式にしているのは、格納（収納）や運搬に際して嵩張らないようにするためであり、従って、折り畳んだ状態から家具本来の形状に広げて使用するようになっている。
【０００５】
特許文献１の携帯用座椅子も同様であり、人が使用するのは上下の板を曲げて座椅子と成した状態のみである。すなわち、特許文献１を初めとした従来の折り畳み式家具は、折り畳んだ状態では家具は使用されることなく眠っているのであり、これでは資源を有効に利用しているとは言い難い。
【０００６】
そこで、従来において家具が折り畳まれた状態で使用されていない理由について更に考察するに、これは、家具に１つの用途（機能）しか求めていないからであり、更にその背景には、既存の家具をコンパクトに縮めるという目的に囚われた固定観念の存在が挙げられる。
【０００７】
もとより、従来の折り畳み式家具の有用性が否定される訳ではなく、それはそれで価値のあることである。しかし、ユーザーの要求が多様化し、斬新で面白みに溢れた折り畳み式家具への潜在的需要が高いと考えられる現在、従来のように不使用時のコンパクト化を主眼としたものでは、ユーザーの多様な要請に十分に応え得るとは言い難い。
【０００８】
本願発明は、このような現状に鑑みなされたもので、従来にない斬新な折り畳み式家具を提供することを目的とするものである。
【課題を解決するための手段】
【０００９】
ところで、多くの家具は板状の部材（又は部分）で構成されている。本願発明者たちはこの点に着目し、折り畳み式家具を複数枚のプレートで構成するにおいて、プレートに複数の機能を保持せしめることによって折り畳み式多機能家具を構成できると着想し、本願発明を完成させるに至った。
【００１０】
本願発明の折り畳み式多機能家具は、直列状に配置された少なくとも３枚のメインプレートを備えており、隣合ったメインプレートを互いに重なり合う方向に相対回動し得るようにヒンジ手段にて連結している。
【００１１】
そして、請求項１の発明では、展開状態では、床に敷いて人が座り得る敷物としての使用と、メインプレート群が上下に並ぶ姿勢に吊るして物品を掛け得るハンガーとしての使用とのうちの一方又は両方の使用が許容されており、更に、前記メインプレートの群を相対回動させて立体的家具と成した状態に保持する立体形状保持手段が設けられている。そして、以上の基本構成において、いずれかのメインプレートに、展開した状態でメインプレート群の並び方向と交叉した方向に延びる腕体を、前記いずれかのメインプレートに重なる方向に回動させ得るように連結している。
【００１２】
請求項２の発明では、請求項１における立体的家具は、前記腕体に、前記立体形状保持手段として、前記メインプレート群を相対回動させて立体的家具とした状態に保持する連結手段が設けられている。
【００１３】
請求項３の発明では、請求項１と同じ基本構成において、連続して延びる３枚のメインプレートを断面略コ字状の形態と成すことにより、スツール又は小テーブルと成すことが許容されており、略コ字状と成した状態で相対向した２枚のメインプレートのうち一方のメインプレートにおける左右両側縁に、展開した状態でメインプレート群の並び方向と交叉した方向に延びる腕体を、一方のメインプレートに重なる方向に回動させ得るようにヒンジ手段を介して連結している。
【００１４】
そして、略コ字状を成した状態で相対向した２枚のメインプレートのうち他方のメインプレートには、前記一方のメインプレートに向けて回動させた腕体の先端部が嵌入する長穴を形成しており、腕体の前部が前記長穴に嵌入した状態をストッパー手段（ロック手段といっても良い）で保持することにより、立体的家具の形状が保持されている。なお、請求項３の略コ字状には台形状も含んでいる。
【００１５】
請求項４の発明では、請求項１〜３のうちの何れかにおいて、前記メインプレートの群のうち並び方向の端に位置したメインプレートに、展開した状態のメインプレート群をフック類に吊懸けできる引っ掛け手段が形成されている。
【００１６】
請求項５の発明では、請求項１〜４のうちの何れかにおいて、全体又は一部を、人と動物と乗り物とキャラクター類との中から選ばれた１つ又は複数のものに似せた形状に形成している。
【発明の効果】
【００１７】
本願発明に係る折り畳み式家具が従来の折り畳み式家具と本質的に相違するのは、展開した状態でも立体化した状態でも家具として使用できるということであり、これにより、従来にない斬新な折り畳み式家具を提供することができる。なお、展開した状態で敷物として機能させる場合は、表面を柔軟層で構成したり、メインプレートの全体を若干の弾性が備わった断面構造に形成したりするのが好ましい。
【００１８】
請求項２，３では、腕体は家具の立体形状保持手段として機能するが、本願発明では、腕体の存在によって家具全体を例えば人の形態に模すことも可能となり、このためデザイン的により斬新なものとして、面白みを発揮させることができる。
【００１９】
請求項４のように構成すると、展開状態で壁等に吊るして衣服等の物品を掛けるハンガーとして使用できるため、重宝である。また、前記したように例えば腕体を設けることによって人等の姿態に似せることが可能となるため、既存のハンガーらしからぬ面白みがある点でも優れている。
【００２０】
従来の折り畳み式家具においても表面に例えばキャラクターの姿態を印刷等にによって表示することは可能であるが、単なる表示のみでは面白味や意外性が十分とは言えない。
【００２１】
これに対して本願発明は、請求項５に記載したように、家具の全体又は一部の形状を人や動物等の姿態に似せることが可能であるため、家具に一種の遊び心を保持せしめて面白みに優れている。換言すると、本願発明の家具は、実用性に加えて面白みも備えているのであり、これにより、ユーザーの潤いのある暮らしの一助となり得るものである。なお、形状を人等に似せることに加えて、表面に何らかの造形を表示できることは言うまでもない。
【発明を実施するための最良の形態】
【００２２】
次に、本願発明の実施形態を図面に基づいて説明する。
【００２３】
(1).第１実施形態（図１〜図７）
図１〜図８では第１実施形態を示している。本実施形態は、座布団のような敷物と座椅子とスツール（以下、小テーブルも含む概念として使用する）とに使用できる雑貨のような折り畳み式多機能家具（以下「家具」と略す）Ｆに係るものである。
【００２４】
図１のうち（Ａ）は展開した状態の平面図、（Ｂ）は（Ａ）のＢ−Ｂ視断面図、（Ｃ）は（Ａ）のＣ−Ｃ視断面図、図２は座椅子を構成した状態の斜視図、図３は図２のIII-III 視断面図、図４はスツールを構成した状態の斜視図、図５は図４の V-V視断面図、図６は図５のVI−VI視断面図、図７は図６の VII-VII視断面図である。
【００２５】
図１から理解できるように、この家具Ｆは、端から順に、一列状に並ぶように配置された第１メインプレート１、第２メインプレート２、第３メインプレート３、第４メインプレート４、第５メインプレート５、第６メインプレート６を備えており、隣合ったメインプレートは互いに重なる方向に相対回動し得るように屈曲自在な蝶番部７を介して一体に連結されている。
【００２６】
第１〜第４のメインプレート１〜４と第６メインプレート６とは平面視四角形でかつ等しい幅寸法に設定されている一方、第５メインプレート５は、第６メインプレート６に向けて幅寸法が小さくなるように台形に形成されており、この傾斜状の側縁にフラップ８が屈曲自在な蝶番部を介して一体に連結されている。フラップ８は、第６メインプレート６に向けて幅寸法が小さくなる直角三角形状に形成されている。
【００２７】
第５メインプレート５には人の口と目とが表現されており、このため第５メインプレート５は人の顔を模している。この場合、口が第６メインプレート６の側に位置している。
【００２８】
第３メインプレート３のうち家具Ｆの長手方向に沿って延びる左右側縁には、メインプレートの群の並び方向と略直交した左右外側方向に向けて延びる腕体１１が屈曲自在な蝶番部７を介して一体に連結されている。
【００２９】
腕体１１は第３メインプレート３の左右側縁の長手方向に沿って中途部に連結されている。左右の腕体１１は人の上肢を模した形状となしており、その先端部を構成する手状部分（手首より先の部分）１２は、人指し指を伸ばすと共に親指１２ａを立てた「ピストル形」の形状としている。
【００３０】
この場合、親指１２ａが第１及び第２のメインプレート１，２の側に向けて立つように形成している。そして、第１メインプレート１には、第１〜第３のメインプレート１〜３を下向き開口の断面コ字状に折ったときに手状部分１２の先端部（人指し指〜小指の部分）が嵌まる長穴１３を形成している。長穴１３は、第２メインプレート２と反対側に位置した部分が外側に広がる幅広部１３ａになっている。
【００３１】
そして、手状部分１２の全幅をＳ１，手首部の幅寸法をＳ２とし、長穴１３の全長をＳ３，幅広部１３ａの長さをＳ４とすると、Ｓ１とＳ３とが略等しく、Ｓ４とＳ２とが略等しくなるように設定している（Ｓ３はＳ１よりも若干長くても良く、また、Ｓ４もＳ２より若干長くても良い。）。従って、手状部分１２は長穴１３に挿脱自在であり、かつ、手首部は長穴１３の幅広部１３ａに嵌め込むことが可能である。
【００３２】
図１（Ｂ）（Ｃ）に示すように、家具Ｆは、例えばダンボールのような基材１４をフェルト地のような表皮材１５で覆った構造になっている。基材１４は各メインプレート１〜６毎に分離することなく連続しており、隣合ったメインプレート１〜６の連結箇所はヒンジ手段の一例としての蝶番部７になっており、この蝶番部７は、基材１４をライン状に潰す等して薄肉化することによって形成されている。基材１４をむき出しのままでも人は座り得るが、表皮材１５で覆うと、座布団のような状態になってより好適であると共に、色彩や模様、質感を自由に選定できるので好ましい。
【００３３】
第５メインプレート５に目９や口１０を形成する場合、当該第５メインプレート５を打ち抜くことによって形成しても良いし、表皮材１５に縫い取りや刺繍等の加工を施すことによって表現しても良い。また、腕体１１の先端部の小指〜中指を曲げた状態は表皮材１５に縫い込みを施すことによって形成されており、従って、腕体１１は全体として略同じ厚さになっている。
【００３４】
各パーツの寸法関係は以下の通りである。第１メインプレート１と第３メインプレート３との長さＬ１とＬ３とは同じ寸法でかつ第２メインプレート２の長さＬ２よりも長い寸法に設定している。また、第４メインプレート４の長さＬ４は、腕体１１の付け根から第４メインプレート４までの間隔寸法Ｌ７と略同じ寸法に設定している。
【００３５】
また、第５メインプレート５の長さＬ５は第２メインプレート２の長さＬ２と略同じ寸法に設定しており、また、第６メインプレート６の長さＬ６は第４メインプレート４の長さよりも短い寸法になっている。また、フラップ８の短辺の長さＬ８は、第４メインプレート４の長さＬ４よりもやや短い寸法に設定している。
【００３６】
以上の構成において、家具Ｆは図１のように展開した状態で床に敷くことにより、人が座る座布団のような敷物に使用することができる。そして、人の上肢に似せた腕体１１や人の顔に似せた第５メインプレート５の存在によってきわめて斬新なデザインになっており、このためユーザーに面白みを与えることができる。
【００３７】
図２に示すように、第４メインプレート４と第５メインプレート５とを第３メインプレート３の側に向けて折ると共に、第６メインプレート６を第４メインプレート４の側に折ることにより、座椅子として使用することができる。
【００３８】
この場合、フラップ８を第５メインプレート５の裏側に折り込んで、第４メインプレート４と第６メインプレート６とで挟み込む（すなわち、フラップ８の端面を第４メインプレート４との広巾面に当てる）ことにより、第５メインプレート５を傾斜させた立体形状が保持されると共に、強度を確保することができる。もちろん、第５メインプレート５の傾斜角度は好みに応じて設定できる。
【００３９】
本実施形態では、第６メインプレート６を第３メインプレート３に安定して重ねることにより、座椅子の形態を保持している。換言すると、第６メインプレート６が、座椅子形状保持手段を担っている。
【００４０】
家具Ｆを座椅子の形態に折り曲げると、第５メインプレート５は目９で口１０が下になり、このことと、第５メインプレート５と腕体１１とが近づくこととにより、家具Ｆは全体として人が仰向けに寝た姿勢に似た形態になる。このため、家具Ｆは全体として人型玩具のような形態を成すことになって、室内装飾的機能も発揮し、人に抜群の面白味を与えることができる。なお、第１メインプレート１と第２メインプレート２とを山形に折ることによって座椅子となすこともできる。
【００４１】
図４に示すように、第１〜第３メインプレート３をコ字状に曲げると共に、腕体１１を倒してその先端部を長穴１３に挿入することにより、スツール（腰掛け式椅子）を構成することができる。そして、図５〜図７に示すように、スツール（或いは棚付き小テーブル）としての形態が保持されている。
【００４２】
腕体１１は手首部分１２ｂまで長穴１３に完全に挿入され、かつ、手首部分１２ｂはずらし移動にて長穴１３の幅広部１３ａに嵌まっている。従って、腕体１１は上下動不能に保持されており、かつ、親指部１２ａの存在により、腕体１１は抜け不能に保持されている。従って、親指部１２ａは腕体１１を第１メインプレート１に連結した状態を保持するストッパー手段となっている。
【００４３】
そして、スツールに構成した状態で、第５メインプレート５は左右腕体１１の上部間に位置しており、このため、左右の腕体１１はその手首部１２ｂが長穴１３の幅広部１３ａに嵌まった状態が保持されている。かつ、第６メインプレート６が腕体１１の上方において第１メインプレート１の内面に重なっており、このため、腕体１１は抜け不能に保持されている。このように、腕体１１と長穴１３と第５及び第６メインプレート５，６とが共同して、家Ｆの立体形状を保持している。
【００４４】
スツール（或いは棚付き小テーブル）としての組み立て（折り込み）は、第２メインプレート２と第３メインプレート３とをＬ字状に曲げてから、第４〜６メインプレート４〜６を折り込み（この場合、第５メインプレートと第６メインプレート６は重ね合わせておく）、次いで、第１メインプレート１を第３メインプレート３と平行になるように折りながら、腕体１１を起こしてその手状部分１２を第１メインプレート１の長穴１３に挿入し、次いで、第６メインプレート６を起こす、という手順を踏めば良い。展開は逆の手順で行われる。
【００４５】
(2).第２〜第３実施形態（図８〜図９）
図８に示すのは第１実施形態の変形例である第２実施形態である。この実施形態は、フラップを備えておらず、また、第１及び第２メインプレート１，２で座椅子の背が構成されるようになっている。他の点は基本的に第１実施形態と同じである。
【００４６】
図９に示すのも第１実施形態の変形例である第３実施形態であり、第１実施形態と相違する点は、腕体１１におけ手状部分１２の形状のみである。すなわち、第３実施形態は、手状部分１２を、親指１２ａを立てて他の指は折り曲げた「ガッツポーズ」の形態にしている点で第１実施形態と相違するのみである。
【００４７】
(4).第４実施形態（図10〜図14）
図１０〜図１４では第４実施形態を示している。図１０は展開図、図１１のうち（Ａ）は座椅子の形態に折った状態の斜視図、（Ｂ）はスツールの形態に折った斜視図、（Ｃ）は（Ｂ）をひっくり返した図で小物入れとして機能させる場合の斜視図、図１２のうち（Ａ）は図１１のXIIA-XIIA 視断面図、（Ｂ）は図１３のXIIB-XIIB 視断面図、図１３は図１２のXIII−XIII視断面図、図１４は図１２のXIV-XIV 視断面図である。
【００４８】
この実施形態も基本的には第１実施形態と同様で、第１〜第６のメインプレート１〜６と、フラップ８、及び腕体１１を備えている。
【００４９】
第１実施形態との相違点は、腕体１１が「天使の翼」の形態を模している点と、フラップ８が台形状に形成されている点、第４メインプレート４のうち第５メインプレート５寄りの部位に家具Ｆの板厚と同じ程度の幅寸法の第１切欠き１８が形成されている点、及び、長穴１３は腕体１１の先端部がすっぽり嵌まり得る長さに形成されている点、第６メインプレート６のうち蝶番部７寄りの部位には、左右長穴１３の間隔Ｌと同じ間隔寸法で浅い深さの第２切欠き１９を形成している点である。第２切欠き１９は家具Ｆの厚さと略同じ寸法になっている。
【００５０】
腕体１１における翼先部１７のくびれ部１７ａは第４メインプレート４の側に位置している。また、第４メインプレート４のうち第１切欠き１８がない部分の長さＬ１０は、腕体１１の付け根から第４メインプレート４までの長さ寸法Ｌ１１と略同じ寸法に設定している。また、第５メインプレート５とフラップ８を連結する蝶番部７は、第２切欠き１９の内端から延びている。
【００５１】
この実施形態の家具Ｆも、展開した状態で敷物として使用することができる。また、図１１（Ａ）に示すように、例えば第１メインプレート１と第２メインプレート２とを山形に折ることによって座椅子として使用することができる。第１実施形態と同様に、第４〜第６メインプレート４〜６を折ることによって座椅子と成しても良い。
【００５２】
図１１（Ｂ）に示すように、腕体１１の翼先部１７を長穴１３に嵌め込むことによってスツールの形状を保持している。この実施形態では、腕体１１を撓み変形させることによって長穴１３に翼先部１７を長穴に嵌め込むと、図１２（Ｂ）に示すように、翼先部１７のくびれ部１７ａが長穴１３の端部に噛み合って抜けない状態になる。従って、本実施形態では、腕体１１のくびれ部１７ａが第１メインプレート１との連結状態保持用ストッパー手段（立体形状保持手段）になっている。
【００５３】
そして、スツール及び小物入れとした状態では、第４メインプレート４は第３メインプレート３と重ね合わせ、第５メインプレート５は両腕体１１の間で水平状の姿勢となり、更に、第６メインプレート６は腕体１１と第２メインプレート２との間において第１メインプレート１に重ねている。また、図１４に示すように、フラップ８と腕体１１と重なるように折曲げている。
【００５４】
第４メインプレート４に第１切欠き１７が形成されているため、フラップ８を第５メインプレート５に対して折り曲げてなおかつ第５メインプレート５を第４メインプレート４に折り曲げたとき、フラップ８と第４メインプレート４との干渉が回避されている。
【００５５】
また、スツール又は小物入れに組み立てた状態で、第６メインプレート６の第２切欠き１９が腕体１１の翼先部１７に嵌合しており、このため、腕体１１の翼先部１７が長穴１３の幅広部１３ａに嵌合した状態が保持され、かつ、第５メインプレート５は水平状の姿勢が保持される。このため、スツール又は小物入れとしての形態が確保されると共に、堅牢な構造になっている。
【００５６】
両腕体１１で第５メインプレート５を挟んでいることと、フラップ８が第５メインプレート５とコ字状を成していてリブ効果が発揮されていることとによっても、堅牢な構造になっている。家具Ｆの素材としてダンボールのように多少の弾性をもっている素材を使用すると、上記各実施形態（特に第２実施形態及び第４実施形態）のように、各パーツを折曲げた状態で突っ張らせて互いに補強しあう構造とすることができる利点がある。
【００５７】
(5).第５〜第７実施形態（図15）
図１５では第５〜第７実施形態を示している。これらは前述の形態の変形例であり、デザインの多様性を示すものである。このうち（Ａ）に示す第５実施形態は基本的には第４実施形態と同じであり、フラップを備えていない点で第４実施形態と相違するのみである。
【００５８】
（Ｂ）に示す第６実施形態はフラップ８を耳状に形成している点で第１実施形態と相違するのみである。（Ｃ）に示す第７実施形態では、第１メインプレート１を二つ割り状に形成して、兎を模した形態となしている。
【００５９】
(6).第８実施形態（図16）
図１６では第８実施形態を示している。（Ａ）は展開図、（Ｂ）はスツールと成した状態での側面図、（Ｃ）は座椅子と成した状態での平面図、（Ｄ）は座椅子と成した状態での側面図、（Ｅ）は（Ｄ）のＥ−Ｅ視断面図、（Ｆ）は（Ｅ）の別例図である。
【００６０】
この実施形態も基本構成は第１実施形態と同じであり、第１〜第６のメインプレート１〜６と両腕体１１とを備えている。腕体１１は第１実施形態と同じ形態を採用している。
【００６１】
第１実施形態は家具Ｆを擬人化するにおいて第５メインプレート５を頭と成していたが、この実施形態では、第１メインプレート１を頭となして、長穴１３を人の目に兼用し、その上下に円弧状の眉９′と口１０とを表示している。
【００６２】
この場合、第１メインプレート１の表面と裏面とで眉９及び口１０の姿勢及び位置を前後逆にすることにより、展開状態と座椅子状態とでともに第１メインプレート１が人の顔を模すように設定している（眉９及び口１０は表皮材に縫い込みを形成するなどして加工することになる。）。
【００６３】
また、第１メインプレート１と第２メインプレート２とは、第１メインプレート１の先端縁に向けて幅寸法が僅かに小さくなる台形状に形成し、第４メインプレート４には人のウエストを模したくびれ部４ａを形成し、更に、第５メインプレート５は人の脚に模して先窄まりとなし、第６メインプレート６は足（或いは靴）を１８０度開いた態様を模している。第４実施形態と同様に、第５メインプレート５の先端の間隔寸法Ｌ１４は左右長穴１３の間隔寸法Ｌ１３と略同じ寸法に設定している。
【００６４】
この実施形態でも、他の実施形態と同様に座椅子やスツール、或いは小物入れとして使用できる状態に組み立てることができる。この実施形態では、第１メインプレート１と第２メインプレート２とを側面視山形に形成すると共に、両腕体１１を起立状態に起こして第１〜第２メインプレート２と係止することにより、座椅子としての形態を保持している。
【００６５】
腕体１１と第１及び第２メインプレート２との係止手段（連結手段）としては、ピン２０とこれが嵌まる係合穴２１との組合せを採用しており、（Ｅ）に示す例では、第１メインプレート１と第２メインプレート２とを繋ぐ蝶番部７の端面から横向きのピン２０を突設する一方、腕体１１に係合穴２１を形成している。
【００６６】
（Ｆ）に示す例では、腕体１１にピン２０を形成して蝶番部７に係合穴２１を形成している。展開状態での安全性の点からは、ピン２０は蝶番部７に設けるのが好ましいと言える。
【００６７】
座椅子形態保持手段としてピンと係合穴との組合せを用いる場合、第１メインプレート１と第２メインプレート２との端面からそれぞれピン２０（或いは係合穴２１）を突設し、腕体１１に２個の係合穴２１（或いはピン２０）を設けても良いのである。ピンを着脱式として、メインプレートと腕体とに係合穴を形成することも可能である。
【００６８】
(7).第９実施形態（図17〜図21）
図１７〜図２１ではは第１０実施形態を示している。この実施形態は展開状態で敷物とハンガーとの両方に使用できるものであり、図１７のうち（Ａ）でハンガーに使用した状態の正面図を示している。図１７のうち（Ｂ）は（Ａ）のＢ−Ｂ視断面図、（Ｃ）は（Ａ）のＣ−Ｃ視断面図、（Ｄ）はスツールと成した場合の側面図、（Ｅ）は座椅子と成した場合の側面図である。
【００６９】
この実施形態は、一列状に並べて配置された第１〜第４のメインプレート１〜４と、第１メインプレート１の左右両側縁から外向きに延びる左右の腕体１１とを備えている。隣合ったメインプレート１〜４は蝶番部７を介して連結されており、また、腕体１１も蝶番部７を介して第１メインプレート１に連結されている。第４メインプレート４の先端は人の足又は靴を模した張り出し部４ａになっている。
【００７０】
第１メインプレート１のうち吊懸け状態で上端に位置する部分には凹所２３が切り開き形成されており、この凹所２３の開口縁に、帽子（ハット）を被った成人男性の横顔をモチーフした人頭状体２４が、上向きの姿勢と凹所２３に嵌まり込む姿勢とに姿勢変更自在（起伏自在）となるようにピン２５で連結されている。
【００７１】
人頭状体２４には、引っ掛け手段の一例として、フック２６に引っ掛けできるように横向き開口部２７が形成されている。横向き開口部２７は、人の口を模した形状になっている。
【００７２】
また、凹所２３は人頭状体２４を倒し回動させるときっちり嵌まる形態になっており、このため、人頭状体２４を凹所２３に倒し回動すると、第１メインプレート１は１枚板状になる。このため敷物として機能させることもできる。家具Ｆをフック２６等に吊懸けた状態では、凹所２３にはネクタイ２８やスカーフ等の物品を掛けることができる。また、第１メインプレート１に背広等の上着類やシャツ類を掛けることもできる。
【００７３】
家具Ｆを吊り掛けた状態で、腕体１１は鉛直線（家具Ｆの長手軸線）に対してある程度の角度θで斜め下向きに傾斜している。また、腕体１１の先端を構成する手状部分１２はジャンケンの「チョキ」の形態（或いは既述のピストル形）を模しており、手状部分１２の上片と腕体の上片とは手首を境にして上向き凹状に屈曲している。すなわち、手状部分１２が滑り止めの役割を果たしている。このため、手首部に時計２９や傘２９′、タオル等の物品を掛けることができる。
【００７４】
この実施形態の家具Ｆは、（Ａ）のようにフック等に掛けてハンガーとして使用することに加えて、（Ｄ）に示すように、第１〜第３メインプレート１〜３をコ実字状の形態に成す共に第４メインプレートと腕体１１とを筋交い状の姿勢にしてスツールと成したり、（Ｅ）に示すように、第１メインプレート１及び第２メインプレート２とを側面視山形に折ると共に腕体１１を第１メインプレート１の表面側に折り返して床に寝かせることによって座椅子と成したりすることができる。
【００７５】
座椅子となした状態では、腕体１１の先端が着いていることにより、第１及び第２のメインプレート１，２と腕体１１とその姿勢が保持されるため、特段の係止手段を要しなくても座椅子の形態は保持される。スツールとしての形態を保持する具体的構造の例は後述する。
【００７６】
なお、ハンガーとしての使用以外の使用時に人頭状体２４が凹所２３から離れ回動するのを阻止するため、人頭状体２４と凹所２３とのうち何れか一方又は両方には、人頭状体２４が凹所２３に嵌合した状態を弾性的に保持する係止手段を設けるのが好ましい。
【００７７】
家具Ｆを座椅子やスツールとして使用する場合は、その表面はある程度の柔らかさを備えているのが好ましい。他方、家具Ｆには相当の荷重がかかるので、これを構成する部材は強度と耐久性が必要である。
【００７８】
この点、図１８に示すように、樹脂板や合板等のからなる基材１４の片面又は両面にウレタン樹脂等のクッション層３０を配置した積層構造にすると、クッション性と強度との両方を兼備できて好適である。美観の点からは、家具Ｆの全面を表皮材１５で覆って、蝶番部が露出しないようにするのが好ましい。
【００７９】
折り畳み式の家具Ｆにおいては、蝶番部（ヒンジ手段）７の強度と耐久性も重要である。この強度と耐久性とを確保する構造の例を図１９で示している。この例はメインプレート同士の連結を取り上げており（腕体とメインプレートとの連結も同様の構造でよい）、メインプレートは符号３２で一般化して表示している。
【００８０】
このうち（Ａ）は第１例の平面図、（Ｂ）は（Ａ）のＢ−Ｂ視断面図であり、この第１例では、隣合ったメインプレート３２の相対向する縁部３２ａを互いに噛み合う凹凸状に形成し、両メインプレート３２の縁部３２ａをその長手方向に沿って延びるピン３３で連結している。縁部３２ａは断面円弧状に形成するのが好ましい。
【００８１】
（Ｃ）は第２例の平面図、（Ｄ）は（Ｃ）のＤ−Ｄ視側面図であり、この第２例では、隣合ったメインプレート３２の左右側面に跨がるように一対のリンク３４を重ねて、リンク３４をそれぞれピン３５で両メインプレート３２の側面に回動可能に連結している。この例では、メインプレート３２は、その表裏両側とも互いに重なるように３６０度の範囲で相対回動させることができる。リンク３４は両メインプレート３２の側面に形成した切欠きに配置するのが好ましい。
【００８２】
（Ｅ）は第３例の平面図、（Ｆ）は（Ｅ）のＦ−Ｆ視断面図であり、この第３例では、２枚のフラップをピンで相対回動自在に連結した蝶番３６を使用している。この例では、メインプレート３２は約１８０度の範囲で相対回動させることができる。蝶番３６を使用する場合、蝶番には３６０度回動可能なものなど各種のものがあるので、求められる機能に応じて蝶番の種類を使い分けたら良い。
【００８３】
次に、スツールの形態を保持する連結手段（ロック手段と言ってもよい）の具体例を図２０〜図２１に基づいて説明する。図２０では腕体１１を第３メインプレート３に連結する具体例を示している。
【００８４】
すなわちこの例では、第３メインプレート３の側縁に腕体１１が嵌合する切欠き３７を形成し、この切欠き３７の底面に帯板状摘まみ３８ａがついたピン３８を回転自在に取付ける一方、腕体１１には、摘まみ３８ａが嵌入し得る細巾状のスリット３９を形成している。
【００８５】
従って、摘まみ３８ａをスリット３９と同じ姿勢にしてピン３８にスリット３９を嵌め込んでから、摘まみ３８ａをスリット３９と交叉する姿勢に回転すると、腕体１１が第３メインプレート３に連結された状態に保持される。腕体１１は切欠き３７にきっちり嵌合するように設定しておくのが好ましい。
【００８６】
家具Ｆを構成する板材が合板を基材とするように撓み変形しない場合は、第１実施形態のようにメインプレートや腕体の撓み変形を利用して長穴に嵌め込むようなことはできないので、家具Ｆをスツール等の形状と成す場合は、腕体１１は第３メインプレート３の側縁部に重ねることになり、従って、本実施形態のような連結手段が必要になる。もちろん、連結手段は他の構造でも良い。
【００８７】
図２１ではより堅牢な状態に保持するための例を示している。（Ａ）は図２０の XXIIA-XXIIA視図、（Ｂ）は第４メインプレート４の平面図、（Ｃ）は（Ｂ）のＣ−Ｃ視断面図、（Ｄ）は（Ａ）のＤ−Ｄ視断面図である。
【００８８】
この例では、第４メインプレート４の先端縁には、くびれ部を有する雄形係合部４０を設ける一方、第１メインプレート１と第２メインプレート２との連結箇所に、両者をＬ形に折り曲げると雄形係合部４０ときっちり嵌合する雌形係合部（溝条）４１を形成したもので、雌雄係合部４０，４１が嵌合していることにより、第４メインプレート４が筋交いの作用を果たして、スツールと成した家具Ｆを堅牢な状態に保持することができる。なお、雌雄係合部４０，４１はプレートのは全幅にわたって延びるように形成しても良い。
【００８９】
なお、図１８〜図２１で示した具体例は他の実施形態にも適用できることは言うまでもない。
【００９０】
(8).第10実施形態（図22）
図２２では第１０実施形態を示している。（Ａ）は全体の正面図、（Ｂ）は人頭状体２４を凹所２３に嵌め込んだ状態での正面図である。
【００９１】
この実施形態は基本的には第１１実施形態と同様であり、相違するのは人頭状体２４及び凹所２３の形状のみである。すなわち、この実施形態では第１メインプレート１に設けた人頭状体２４の上部がフック状となるように横向き開口部２７の形状を工夫しており、このため、凹所２３及びこれに倒し回動した人頭状体２４は、人が口を空けて横向きした形態になっている。
【００９２】
(10). 第11〜12実施形態（図23）
図２３では第１１〜１２実施形態を示している。両者は基本的な構成は第９実施形態と同じで、相違点はデザイン的なものである。
【００９３】
すなわち、（Ａ）に示す第１１実施形態では、人頭状体２４を女性の形状に似せると共に、第２メインプレート２の左右側縁の女性の腰の形状に似せた丸みを持った形状となし、更に、第３メインプレート３及び第４メインプレート４を女性の下肢に模して先窄まりにすると共に、第４メインプレート４の下部はドレスを模した形状と成している。
【００９４】
人顔状体２４には横向き開口部２７を形成しているが、この横向き開口部２７の上内面を波形とすることによって女性の髪形を模しており、また、横向き開口部２７の下方には目９や口１０、或いは髪の輪郭等を彫り込みや印刷等によって表示している。他方、第４メインプレート４にも、ドレスやスカートの裾部を彫り込みや印刷等から成る線４１で表現している。
【００９５】
（Ｂ）に示す第１２実施形態では家具Ｆを飛行機の形態に模しており、第１メインプレート１には、フック等に掛けるための横向き開口部２７を有する機体頭部状体４２を回動自在（起伏自在）に取付けている。横向き開口部２７は円弧状に形成されており、このため、機体頭部状体４２は操縦席のような雰囲気が出ている。
【００９６】
また、腕体１１は主翼状の形態に形成しており、彫り込みや印刷・書き込み等の手段でメインフラップ４３を表示している。また、第４メインプレート４の下部には水平尾翼に似せた張り出し部４ａを形成し、これに補助フラップ４５を表示している。
【００９７】
以上の各実施形態から理解できるように、展開状態で敷物として使用するにしてもハンガーとし使用するにしても、家具Ｆは人等に似せた形態とすることによって高い室内装飾性を持たせることができるのであり、この点は本願発明の特徴の１つである。
【００９８】
(10). 第13実施形態（図24）
図２４では第１５実施形態を示している。（Ａ）は座椅子に組んだ状態の側面図、（Ｂ）は（Ａ）のＢ−Ｂ視断面図である。
【００９９】
この実施形態は、第１実施形態のように第３メインプレート３に腕体１１を設けた場合において、座椅子として組んだ状態を保持する形態保持手段の別例であり、第２メインプレート２の端面に、円を一部切欠いた状態の係合穴４７を設ける一方、腕体１１の表面には、前記係合穴４７に弾性的に嵌脱する球状又は円柱状の突起４８を設けている。
【０１００】
(11). 第14実施形態（図25）
図２５では、メインプレート３２に腕体１１を回動自在に取付ける手段の別例である第１４実施形態を示している。（Ａ）は分離平面図、（Ｂ）は部材を取り付けた状態での（Ａ）のＢ−Ｂ視断面図である。
【０１０１】
この実施形態では、メインプレート３２の側縁に切欠き４９を形成し、この切欠き４９に嵌め込んでビス止めした金具５０にピン５１を介して腕体１１が取付けられている。金具５０は、メインプレート３２を表裏両側から抱持する基部５０ａと、その両端に設けた一対の張り出し部５０ｂとを備えており、張り出し部５０ｂにピン５１で腕体１１を取付けている。
【０１０２】
腕体１１の回動角度は、腕体１１の広巾面が金具５０の縁部に当接することによって規制される。この実施形態では、腕体１１はメインプレート３２の表裏両側に向けて回動させることができる。図面では腕体１１の厚さをメインプレート３２よりも薄く表示しているが、両者は同じ厚さでもよい。
【０１０３】
(12). 第15〜第16実施形態（図26）
図２６では第１５〜第１６実施形態を示している。これらの実施形態もメインプレート３２に腕体１１を回動自在に取付ける手段の例であり、いずれも蝶番３６を使用して腕体１１を取付けている。
【０１０４】
そして、（Ａ）に示す第１５実施形態で使用している蝶番３６は、メインプレート３２の端面の裏面と端面とに重なる第１メンバー３６ａとこれにピンを介して回動自在に連結された板状の第２メンバー３６ｂから成っており、第２メンバー３６ｂを腕体１１の端面にビスで締結している。この場合、腕体１１の端面を鉛直線に対して傾斜させることにより、腕体１１をやや傾斜させた姿勢に保持できるようになっている。
【０１０５】
（Ｂ）に示す第１６実施形態の蝶番部７は平板をピンで連結した一般的なものであり、メインプレートの裏面（下面）と腕体１１の上面とに蝶番の各板をビス止めしている。そして、メインプレート３２の端面を上面と成す角度が鈍角となるように鉛直線に対して傾斜させることにより、腕体１１をやや傾斜させた姿勢に保持できるようになっている。
【０１０６】
(13). 第17〜第19実施形態（図27）
図２７では第１７〜１９実施形態を示している。これらの実施形態は、水平状に配置されたメインプレート３２′の上面に傾斜状のメインプレート３２″の端面を当接させて家具Ｆを座椅子の形態となすにおいて、傾斜状のメインプレート３２″を後ろ向きずれ不能及び倒れ回動不能に保持する手段（立体形状保持）の例であり、腕体１１を座椅子状態保持手段に使用できないときに有益である。
【０１０７】
（Ａ）（Ｂ）は第１７実施形態であり、（Ａ）は側面図、（Ｂ）は（Ａ）のＢ−Ｂ視断面図である。この実施形態では、両メインプレート３２′，３２″の左右端面に帯紐製等のベルト５２，５３を取付け、一方のベルト５２に取付けたフック５４を他方のベルト５３に引っ掛けるようにしている。
【０１０８】
（Ｃ）（Ｄ）に示すのは第１８実施形態であり、（Ｃ）は側面図、（Ｄ）は（Ｃ）のＤ−Ｄ視図である。この実施形態では、傾斜状のメインプレート３２″の下端縁に左右一対のループ状フック５５を取付ける一方、座板となるメインプレート３２′の上面には、ループ状フック５５が係脱する鉤状フック５６を取付けている。
【０１０９】
鉤状フック５６をメインプレート３２ａに彫り込み形成した凹所（図示せず）に設ける等して、他の用途に使用するに際して鉤状フック５６が邪魔にならないようにすることも可能である。
【０１１０】
（Ｅ）に示すのは第１９実施形態であり、背もたれとなるメインプレート３２″の左右端面の下端部に鉤状フック５７を回動自在に取付ける一方、座板となるメインプレート３２′の端面には、前記鉤状フック５７が係脱する頭付きピン５８を横向き突設している。
【０１１１】
(14). 第20実施形態（図28）
図２８では第２０実施形態を示している。この実施形態は、腕体１１が備えられた家具Ｆをスツール等に構成するにおいて、腕体１１の先端部を第１メインプレート１の長穴１３に挿入した状態を保持する保持手段（ロック手段）の例である。
【０１１２】
この実施形態では、腕体１１の先端部は人の手を模した幅狭の手状部分１２になっており、手状部分１２を長穴１３に挿入すると手状部分１２の付け根の段部１２ｃが第１メインプレート１の裏面に当たるようになっている。そして、手状部分１２うち第１メインプレート１から露出する部分の基部に、細長いストッパー体５９を、水平状の姿勢と鉛直状の姿勢とに姿勢変更自在となるようにピン６０に取付けることにより、腕体１１を第１メインプレート１に連結した状態を保持できるようになっている。
【０１１３】
ストッパー体５９にはその長手方向に延びる長穴６１が空いており、この長穴６１にピン６０を嵌め込むことにより、ストッパー体５９の姿勢を変更できるようになっている。また、第１メインプレート１の長穴１３の上部は、水平姿勢のストッパー体５９が嵌入し得るように幅広に形成している。
【０１１４】
(15). 第２１実施形態（図29〜図32）
図２９〜図３２では第２１実施形態を示している。図２９は展開した状態の平面図、図３０はスツールに組み立てた状態の平断面図で図３１のXXX-XXX 視断面図、図３１は図３０のXXXI-XXXI 視断面図、図３２は図３１のXXXII-XXXII 視断面図である。この実施形態は基本的には第４実施形態（図１０〜図１４）と同様なので、第４実施形態との相違点だけを説明する。
【０１１５】
この実施形態の特徴はスツール等として組み立てた状態の立体形状を保持する構造にあり、その特徴として、手状部分１２に親指側と小指側とに開口した一対の切欠き１２ｃを形成している一方、第１メインプレート１の長穴１３の広幅部１３ａは家具Ｆの中心線側に入り込んでおり、更に、図３２に示すように、スツール等に組み立てた状態で、第６メインプレート６に形成した切欠き１９によって腕体１１が広がり不能に保持されるように設定している。
【０１１６】
(16). 第２２実施形態（図33〜図35）
図３３〜図３５では第２２実施形態を示している。図３３のうち（Ａ）はパーツを分離した状態での展開平面図、（Ｂ）は（Ａ）の側面図、図３４は座椅子となした状態の側面図、図３５はスツール等に組み立てた状態の側面図である。
【０１１７】
この実施形態は、その機能は第９実施形態（図17〜図21）及び第１０実施形態（図２２）と同じであり、特徴とするのは、各メインプレート１〜４が剛体基板Ｐにクッション材Ｃを張った構造になっている点である。また、各基板Ｐは相対回動させたときの干渉を回避するため面取り部Ｐ１を形成している。
【０１１８】
なお、剛体基板を心材として、その表裏にクッション材を張った構造を採用することも可能である。
【０１１９】
(17). その他
本願発明は上記の実施形態の他にも様々に具体化することができる。例えばメインプレートの枚数は６枚又は４枚には限らず、例えば５枚や７枚以上でも良い。また、腕体の形状や幅寸法、枚数、取付け位置等も必要に応じて自由に設定できる。更に、立体形状を保持する保持手段（ロック手段）も、例示したもの以外の多くのものを使用できる。
【０１２０】
メインプレート同士又はメインプレートと腕体とを相対回動可能に連結するにおいては、それらメインプレート等が相対回動する角度は、展開状態から例えば片側に９０度だけ回動するというように、所望の立体的家具Ｆを構成するために必要限度の角度だけ回動するように設定しても良いし、隣合ったメインプレートの表面同士及び裏面同士が重なる状態に回動すると言うように自在に回動する状態に連結しても良い。
【図面の簡単な説明】
【０１２１】
【図１】第１実施形態に係る家具Ｆの展開図及び断面図である。
【図２】座椅子となした状態の斜視図である。
【図３】図２の III-III視断面図である。
【図４】スツールを構成した状態の斜視図である。
【図５】図４のV-V 視断面図である。
【図６】図５のVI−VI視断面図である。
【図７】図５の VII-VII視断面図である。
【図８】第２実施形態を示す図である。
【図９】第３実施形態の展開図である。
【図１０】第４実施形態の展開図である。
【図１１】第４実施形態の使用例を示す斜視図である。
【図１２】（Ａ）は図１１のXIIA-XIIA 視断面図、（Ｂ）は図１３のXIIB-XIIB 視断面図である。
【図１３】図１２のXIII−XIII視断面図である。
【図１４】図１２のXIV-XIV 視断面図である。
【図１５】第５〜第７実施形態を示す図である。
【図１６】第８実施形態を示す図である。
【図１７】第９実施形態の基本構成を示す図である。
【図１８】部材の断面の一例を示す図である。
【図１９】プレート同士の連結態様を例を示す図である。
【図２０】腕体とメインプレートとの連結手段の一例を示す図である。
【図２１】立体状態の補強手段の例を示す図である。
【図２２】第１０実施形態を示す図である。
【図２３】第１１〜１２実施形態を示す図である。
【図２４】第１３実施形態を示す図である。
【図２５】第１４実施形態を示す図である。
【図２６】第１５〜１６実施形態を示す図である。
【図２７】第１７〜１９実施形態を示す図である。
【図２８】第２０実施形態を示す図である。
【図２９】第２１実施形態の展開図である。
【図３０】スツールに組み立てた状態の平断面図で図３１のXXX-XXX 視断面図である。
【図３１】図３０のXXXI-XXXI 視断面図である。
【図３２】図３１のXXXII-XXXII 視断面図である。
【図３３】第２２実施形態の分離展開図及び分離側面図である。
【図３４】座椅子となした状態の側面図である。
【図３５】スツール等に組み立てた状態の側面図である。
【符号の説明】
【０１２２】
１〜６  第１〜第６メインプレート
７  ヒンジ手段の一例としての蝶番部
１１  腕体
１２  手状部分
１３  長穴
１４  基材
１５  表皮材
１７  翼先部
２０  座椅子形状保持手段を構成するピン
２１  座椅子形状保持手段を構成する係合穴
２３  凹所
２４  人頭状部
２６  フック
２７  横向き開口部
３２，３２ａ，３２ｂ  一般化したメインプレート
３６  ヒンジ手段としての蝶番
３８  スツール形状保持手段の一例を成す摘まみ付きピン
４２  機体頭部状体
【図１】
0004693359.tif 000002
【図２】
0004693359.tif 000003
【図３】
0004693359.tif 000004
【図４】
0004693359.tif 000005
【図５】
0004693359.tif 000006
【図６】
0004693359.tif 000007
【図７】
0004693359.tif 000008
【図８】
0004693359.tif 000009
【図９】
0004693359.tif 000010
【図１０】
0004693359.tif 000011
【図１１】
0004693359.tif 000012
【図１２】
0004693359.tif 000013
【図１３】
0004693359.tif 000014
【図１４】
0004693359.tif 000015
【図１５】
0004693359.tif 000016
【図１６】
0004693359.tif 000017
【図１７】
0004693359.tif 000018
【図１８】
0004693359.tif 000019
【図１９】
0004693359.tif 000020
【図２０】
0004693359.tif 000021
【図２１】
0004693359.tif 000022
【図２２】
0004693359.tif 000023
【図２３】
0004693359.tif 000024
【図２４】
0004693359.tif 000025
【図２５】
0004693359.tif 000026
【図２６】
0004693359.tif 000027
【図２７】
0004693359.tif 000028
【図２８】
0004693359.tif 000029
【図２９】
0004693359.tif 000030
【図３０】
0004693359.tif 000031
【図３１】
0004693359.tif 000032
【図３２】
0004693359.tif 000033
【図３３】
0004693359.tif 000034
【図３４】
0004693359.tif 000035
【図３５】
0004693359.tif 000036